(57)【要約】【課題】フェンスを構成する網状パネル同士を所定の相互角度で接続する施工の容易な構造を提供する。【解決手段】縦線２と横線３とを持つ２つの網状パネル１を、接続金具組立体１１によって、所定の相互角度をもって接続する。接続金具組立体１１は、各網状パネル１の内側面に互いに勝手違いに配置される同形一対の第１の金具１２と、外側面に、第１の金具１２との間で網状パネル１を挟持するように固定される同形一対の第２の金具１３とを具備する。第１の金具１２と第２の金具１３は、挟持ボルト１４で各網状パネル１に固定される。第１の金具１２の挟持縁部１８と第２の金具１３の挟持縁部２６との間で横線３を挟持する。第１の金具１２の接続板部１６同士がボルト２３で結合され、これでパネル１の交互角度が維持される。【選択図】図１
2015096666.tif 000002
【特許請求の範囲】
【請求項１】
縦方向に延びる複数の縦線とこの縦線の外側面に溶着された横方向に延びる複数の横線とをそれぞれ有する左右２つのフェンス用網状パネルの隣接端部間を接続金具組立体により、所定の相互角度で接続する構造であって、
前記接続金具組立体は、前記各網状パネルの垂直の内側面に沿うように互いに勝手違いに配置される同形一対の第１の金具と、各網状パネルの垂直の外側面に沿うように配置され第１の金具との間で網状パネルを挟持するように第１の金具に対して挟持ボルトで締め付け固定される同形一対の第２の金具とを具備し、
前記第１の金具は、金属板材を屈曲成形してなり、前記網状パネルの垂直の内側面に沿う概略矩形状の基板部と、この基板部における網状パネルの隣接端部側の一端から内方へ当該基板部に対して傾斜して延びる接続板部とを具備し、
前記基板部は、前記挟持ボルトを受けるねじ孔又はねじ挿通孔を有し前記網状パネルの内側面に沿う主板部と、上下２本の横線の内側面に当接するように主板部の上下の縁に形成された挟持縁部とを具備し、
前記接続板部は、ボルト挿通用の横方向の長孔を具備し、対をなす他の第１の金具の接続板部と重なり、長孔を貫通する接続ボルトにより当該他の接続板部と接続され、
前記第２の金具は、前記第１の金具の基板部に対向する概略矩形状の金属板材からなり、前記挟持ボルトを受けるねじ孔又はねじ挿通孔を有し前記網状パネルの外側面に沿う主板部と、上下２本の横線の外側面に当接して第１の金具の前記挟持縁部との間で当該横線を挟持するように主板部の上下の縁に形成された挟持縁部とを具備することを特徴とするフェンス用網状パネルの接続構造。
【請求項２】
前記第１の金具の挟持縁部は、前記網状パネルの左右２本の縦線の間に位置し、前記主板部の上下の縁に段部を介して主板部より外側位置に形成され、
前記第２の金具の挟持縁部は、前記主板部の上下の縁に段部を介して主板部より外側位置に形成されることを特徴とする請求項１に記載のフェンス用網状パネルの接続構造。
【請求項３】
前記第１の金具の接続板部は、上下いずれか一方の縁に沿い内側へ直角に起立したガイド片を具備し、互いに他方の第１の金具の接続板部の縁がガイド片に沿うように配置されることを特徴とする請求項１又は２に記載のフェンス用網状パネルの接続構造。
【発明の詳細な説明】
【技術分野】
【０００１】
本発明は、フェンスを構成する網状パネル同士を所定の相互角度をもって、横方向に接続する構造に係り、特に、各網状パネルが、縦方向の複数の縦線と横方向の複数の横線とを有してなるものの接続構造に関する。
【背景技術】
【０００２】
従来、フェンス用網状パネルの接続構造として、接続すべき左右２つの網状パネルを、表側と裏側から第１、第２の２つの金具で挾持することにより、互いに接続するものが知られている（例えば特許文献1参照）。網状パネルは、線材からなる縦方向に延びる複数の縦線と、この縦線の表側面に溶着された横方向に延びる複数の横線とを具備する。２つの金具は、１本のボルトで締め付けられる。ほぼ相似形に形成された第１、第２の金具を網状パネルを挟んで向かい合わせに突き合わせ、向かい合った溝状部を各網状パネルの横線に嵌合させる。両金具の溝状部の端縁である爪部の先端同士が突き合わされることにより、向かい合った溝状部間に横線を通す断面ほぼ菱形の空間が形成される。向かい合った基部間の左右両縁部に沿って縦線が貫通する。第１、第２の金具は、基部の中央を貫通するボルトにより、向かい合った両基部間を接近させる方向に締め付けられる。
【先行技術文献】
【特許文献】
【０００３】
【特許文献１】特開２００３−２０１７７６号公報
【発明の概要】
【発明が解決しようとする課題】
【０００４】
特許文献１に記載のフェンス用網状パネルの接続構造は、左右２つの網状パネルをその面方向に真っ直ぐに接続する構造であり、地境のコーナー部等において２つの網状パネルを所定の角度をもって接続する構造には適用することができない。他に網状パネルを所定の角度をもって接続する、施工の容易な接続構造に関する先行技術を出願人は見出せなかった。
したがって、本発明は、フェンスを構成する網状パネル同士を所定の相互角度をもって、横方向に接続する、施工の容易な構造を提供することを目的としている。
【課題を解決するための手段】
【０００５】
以下、添付図面の符号を参照して説明するが、本発明はこれに限定されるものではない。
上記課題を解決するための、本発明のフェンス用網状パネルの接続構造は、縦方向の複数の縦線２と、この縦線２の外側面に溶着された横方向の複数の横線３とをそれぞれ有する左右２つの網状パネル１の隣接端部を、接続金具組立体１１によって、互いに所定の相互角度をもって接続する構造である。接続金具組立体１１は、各網状パネル１の垂直の内側面に沿うように互いに勝手違いに配置される同形一対の第１の金具１２と、各網状パネル１の垂直の外側面に沿うように配置され第１の金具１２との間で網状パネル１を挟持するように第１の金具１２に対して挟持ボルト１４で締め付け固定される同形一対の第２の金具１３とを具備する。第１の金具１２は、金属板材を屈曲成形してなり、基板部１５と接続板部１６とを具備する。基板部１５は、概略矩形状で、網状パネル１の垂直面の内側に沿う。接続板部１６は、基板部１５における網状パネルの隣接端部側の一端から内方へ当該基板部１５に対して傾斜して延びる。基板部１５はさらに、挟持ボルト１４を受けるねじ孔１９又はねじ挿通孔を有し、網状パネル１の内側面に沿う主板部１７と、上下２本の横線３の内側面に当接するように主板部１７の上下の縁に形成された挟持縁部１８とを具備する。接続板部１６はさらに、ボルト挿通用の横方向の長孔２２を具備し、対をなす他の第１の金具１２の接続板部１６と重なり、長孔２２を貫通する接続ボルト２３により当該他の接続板部１６と接続される。第２の金具１３は、第１の金具１２の基板部１５に対向する概略矩形状の金属板材からなり、主板部２５と挟持縁部２６とを具備する。主板部２５は、挟持ボルト１４を受けるねじ孔又はねじ挿通孔２７を有し、網状パネル１の外側面に沿う。挟持縁部２６は、主板部２５の上下の縁に形成され、上下２本の横線３の外側面に当接し、挟持ボルト１４の締め付けにより、第１の金具１２の挟持縁部１８との間で当該横線３を挟持する。
【発明の効果】
【０００６】
本発明のフェンス用網状パネルの接続構造においては、第１の金具と第２の金具の挟持縁部間で網状パネルの横線を確固に挟持でき、かつ両金具の接続板部同士の結合により、２つの網状パネルの屈折角度を確固に維持することができる。
【図面の簡単な説明】
【０００７】
【図１】本発明によるフェンス用網状パネルの接続構造を示す斜視図である。
【図２】図１のフェンス用網状パネルの接続構造を示す分解斜視図である。
【図３】図１のフェンス用網状パネルの接続構造を示す平面図である。
【図４】図３におけるＩＶ−ＩＶ拡大断面図である。
【図５】図１のフェンス用網状パネルの接続構造を示す正面図である。
【図６】図５におけるＶＩ−ＶＩ拡大断面図である。
【発明を実施するための形態】
【０００８】
図面を参照して本発明の実施の形態を説明する。
左右方向に複数を接続してフェンスを構成するフェンス用の網状パネル１は、縦方向の複数の縦線２と、この縦線２の一側面に溶着された横方向の複数の横線３とをそれぞれ有する。左右２つの網状パネル１は、隣接端部の近傍位置において、各一対の第１、第２の金具１２，１３で構成される接続金具組立体１１により、所定の相互屈折角度を持って支持される。以下、網状パネル１において、相互屈折角の内角側を内側、その反対側を外側という。
【０００９】
第１の金具１２が、各網状パネル１の内側に配置され、第２の金具１３が、各網状パネル１の外側に配置される。
【００１０】
一対の第１の金具１２は、同形状で、各網状パネル１の垂直の内側面に沿うように互いに左右勝手違いに配置される。
【００１１】
一対の第２の金具１３は、同形状で、各網状パネル１の垂直の外側面に沿うように配置され、第１の金具１２との間で網状パネル１を挟持するように、第１の金具１２に対して挟持ボルト１４で締め付け固定される。
【００１２】
第１の金具１２は、金属板材を屈曲成形してなり、基板部１５と接続板部１６とを具備する。基板部１５は、概略矩形状で、網状パネル１の垂直の内側面に沿う。接続板部１６は、基板部１５における網状パネルの隣接端部側の一端から内方へ当該基板部１５に対して傾斜して延びる。
【００１３】
基板部１５はさらに、主板部１７と挟持縁部１８とを具備する。主板部１７は、網状パネル１の内側面に沿うよう配置され、網状パネル１の各隣接２本の縦線２の間に位置して、横方向に並ぶ２つのねじ孔１９を有する。ねじ孔１９には、挟持ボルト１４が螺合される。ねじ孔１９は、主板部１７を網状パネル１側（外側）へ打ち出すようにプレス加工してなる外側凸部２０内に形成される。挟持縁部１８は、網状パネルの左右２本の縦線２の間に位置し、上下２本の横線３の内側面に当接するように、主板部１７の上下の縁に形成される。挟持縁部１８は、主板部１７の上下の縁に、段部２１を介して主板部１７より外側位置に形成される。
【００１４】
接続板部１６は、ボルト挿通用の横方向の長孔２２を具備し、基板部１５に対する傾斜角度は、例えば、２つの網状パネル１の相互角度の１／２の角度に設定される。図示の実施形態においては、網状パネル１の相互角度が９０°であり、接続板部１６の基板部１５に対する傾斜角度は４５°に設定される。それによって、一対の第１の金具１２の接続板部１６同士が重なり、合致した長孔２２を貫通する接続ボルト２３により接続板部１６同士が結合される。接続板部１６は、上下いずれか一方の縁に沿い、内側へ直角に起立したガイド片２４を具備する。一対の第１の金具１２の接続板部１６の他方の縁が互いに他方の接続板部１６のガイド片２４に沿うように配置される
【００１５】
第２の金具１３は、第１の金具１２の基板部１５に対向する概略矩形状の金属板材からなり、主板部２５と挟持縁部２６とを具備する。主板部２５は、第１の金具１２のねじ孔に対応して挟持ボルト１４を受けるねじ挿通孔２７を有し、上下の横線３間で、網状パネル１の外側面に沿う。挟持縁部２６は、主板部２５の上下の縁に段部２８を介して主板部２５より外側位置に形成される。挟持縁部２６は、上下２本の横線３の外側面に当接し、挟持ボルト１４の締め付けにより、第１の金具１２の挟持縁部１８との間で横線３を挟持する。
【００１６】
なお、第１の金具１２のねじ孔１９に代えてねじ挿通孔を設け、第２の金具１３のねじ挿通孔２７に代えてねじ孔を設けることができる。
【００１７】
相隣接する２つの網状パネル１を互いに接続する際には、例えば、網状パネル１の外側から上下の横線３間に第２の金具１３をあてがい、当該横線３の外側面に挟持縁部２６を当接させると共に、第２の金具１３に対向するように、内側から第１の金具１２をあてがい、挟持縁部１８を上下の横線３の内側面に当接させる。この状態で、外側からねじ挿通孔２７を通してねじ孔１９にボルト１４を螺合させて、挟持縁部１８，２６間に横線３を緩く挟持させ、他方の網状パネル１に同様に装着した第１の金具１２との相互位置を調整し、両金具の接続板部１６の長孔２２を合致させ、ボルト２３，ナット２９により両金具を結合する。
【００１８】
ボルト１４を締め付ける際に、過剰な締め付け力を加えると、第１の金具１２の外側凸部２０の外側面が、第２の金具１３の内側面に当接することで、両金具１２，１３の変形が阻止されるから、変形による把持力の低下を回避することができる。
【００１９】
このフェンス用網状パネルの接続構造においては、第１の金具１２と第２の金具１３の挟持縁部１８，２６間で網状パネル１の横線３を確固に挟持でき、かつ両金具１２，１３の接続板部１６同士の結合により、２つの網状パネル１の屈折角度を確固に維持することができる。
【符号の説明】
【００２０】
１    網状パネル
２    縦線
３    横線
１１  接続金具組立体
１２  第１の金具
１３  第２の金具
１４  挟持ボルト
１５  基板部
１６  接続板部
１７  主板部
１８  挟持縁部
１９  ねじ孔
２０  外側凸部
２１  段部
２２  長孔
２３  接続ボルト
２４  ガイド片
２５  主板部
２６  挟持縁部
２７  ねじ挿通孔
２８  段部
２９  ナット
【図１】
2015096666.tif 000003
【図２】
2015096666.tif 000004
【図３】
2015096666.tif 000005
【図４】
2015096666.tif 000006
【図５】
2015096666.tif 000007
【図６】
2015096666.tif 000008